(57)【要約】【課題】チャンネル推定値を平滑化して雑音成分を除去する場合において、ガードインターバル期間内からＦＦＴを開始する場合であっても、精度の高いチャンネル推定値を得ることができるＯＦＤＭ復調装置を提供する。【解決手段】位相推定回路９は、チャンネル推定回路５が出力するチャンネル推定値からチャンネル推定回路５が出力するチャンネル推定値の位相を推定する。位相逆転回路１０は、チャンネル推定回路５が出力するチャンネル推定値を位相推定回路９が推定した位相分だけ定常位相回転方向と逆方向に回転させてチャンネル推定値の位相回転を削除する。位相復帰回路１１は、ローパスフィルタ６が出力するチャンネル推定値を位相推定回路９が推定した位相分だけ定常位相回転方向に位相回転させてチャンネル推定値の位相回転をチャンネル推定回路５から出力された状態に戻す。【選択図】          図１
2005223575.tif 000002
【特許請求の範囲】
【請求項１】
複素ベースバンド信号を入力してＦＦＴ処理を行うＦＦＴ回路と、チャンネル推定を行うチャンネル推定部を有するＯＦＤＭ復調装置において、
前記チャンネル推定部は、前記ＦＦＴ回路から出力される所定信号からチャンネル推定を行うチャンネル推定回路と、該チャンネル推定回路から出力されるチャンネル推定値の位相回転を削除ないし減少させる位相補正回路と、該位相補正回路から出力されるチャンネル推定値を平滑化する平滑化回路を有することを特徴とするＯＦＤＭ復調装置。
【請求項２】
前記平滑化回路から出力されるチャンネル推定値の位相を前記チャンネル推定回路から出力された状態に復帰させる位相復帰回路と、該位相復帰回路から出力されるチャンネル推定値を保持するチャンネル推定値保持回路と、該チャンネル推定値保持回路が保持するチャンネル推定値に基づいて、前記ＦＦＴ回路から出力される同期検波対象信号の同期検波を行う同期検波回路を有することを特徴とする請求項１記載のＯＦＤＭ復調装置。
【請求項３】
前記位相補正回路は、前記チャンネル推定回路から出力されるチャンネル推定値の位相を推定する位相推定回路と、前記チャンネル推定回路から出力されるチャンネル推定値を前記位相推定回路が推定した位相分だけ逆方向に回転させる位相逆転回路を有することを特徴とする請求項１記載のＯＦＤＭ復調装置。
【請求項４】
前記位相補正回路は、予め設定した位相を保持する設定位相保持回路と、前記チャンネル推定回路から出力されるチャンネル推定値の位相を前記設定位相保持回路が保持する位相分だけ逆方向に回転する位相逆転回路を有することを特徴とする請求項１記載のＯＦＤＭ復調装置。
【請求項５】
複素ベースバンド信号を入力してＦＦＴ処理を行うＦＦＴ回路と、チャンネル推定を行うチャンネル推定部を有するＯＦＤＭ復調装置において、
前記チャンネル推定部は、ソフトウエアまたはリコンフィグ回路で構成されると共に、前記ＦＦＴ回路から出力される所定信号から信号対干渉雑音電力比を測定する信号対干渉雑音電力比測定回路と、前記チャンネル推定部のアルゴリズムを切り替えるアルゴリズム切替部と、前記チャンネル推定部から出力されるチャンネル推定値に基づいて、前記ＦＦＴ回路から出力される同期検波対象信号の同期検波を行う同期検波回路を有し、
前記アルゴリズム切替部は、
前記信号対干渉雑音電力比測定回路が測定した信号対干渉雑音電力比が所定値以下のときは、前記チャンネル推定部が、前記ＦＦＴ回路から出力される前記所定信号からチャンネル推定値を推定し、該チャンネル推定値の位相回転を削除して平滑化し、該平滑化したチャンネル推定値の位相を元の状態に復帰させ、該位相を元に戻したチャンネル推定値を前記同期検波回路に転送できる回路構成となるように、前記ソフトウエア又は前記リコンフィグ回路のコンフィギュレーションを書き換え、
前記信号対干渉雑音電力比測定回路が測定した信号対干渉雑音電力比が前記所定値を超えるときは、前記チャンネル推定部が、前記ＦＦＴ回路から出力される前記所定信号からチャンネル推定値を推定し、該チャンネル推定値を前記同期検波回路に転送できる回路構成となるように、前記ソフトウエア又は前記リコンフィグ回路のコンフィギュレーションを書き換えることを特徴とするＯＦＤＭ復調装置。
【発明の詳細な説明】
【技術分野】
【０００１】
本発明は、無線ＬＡＮ（IEEE802.11a）や地上ディジタル放送（ISDB-T）などのようにＯＦＤＭ（Orthogonal Frequency Division Multiplexing：直交周波数分割多重）変調方式を用いるディジタル無線通信システムに使用して好適なＯＦＤＭ復調装置に関する。
【背景技術】
【０００２】
ＯＦＤＭ無線通信システムにおいては、ＯＦＤＭ復調装置に、伝送路（チャンネル）によって生じるサブキャリア毎の振幅及び位相の変動を推定するためにチャンネル伝達関数を推定する回路が必要である（例えば、特許文献１参照）。
【０００３】
チャンネル伝達関数は、実際に受信された既知信号（パイロットシンボル、トレーニングシンボル）のサブキャリア毎の振幅及び位相の理想状態からの乖離を測定することで推定することができる。
【０００４】
しかし、既知信号のサブキャリアそのものに雑音が載っている場合、そこから求められるチャンネル推定値は極めて精度の低いものとなる。そこで、例えば、チャンネル推定回路で求めたチャンネル推定値に対してＯＦＤＭのサブキャリアの周波数領域でのフィルタリングを行うことで雑音成分を除去することが考えられる。
【０００５】
図７はＯＦＤＭ復調装置の参考例の要部を示す回路図である。図７に示すＯＦＤＭ復調装置は無線ＬＡＮ（IEEE802.11a）システムに使用されるものであり、図７中、１は直交復調回路（図示せず）から出力される複素ベースバンド信号を入力してシンボルタイミングを検出するシンボルタイミング検出回路である。
【０００６】
２は複素ベースバンド信号及びシンボルタイミング検出回路１が検出したシンボルタイミングを入力し、ＦＦＴ（Fast Fourier Transform：高速フーリエ変換）窓を設定して複素ベースバンド信号について１シンボル毎にＦＦＴ処理を行うＦＦＴ回路、３はトレーニング信号とデータ信号の経路を切り替える切替回路であり、トレーニング信号は出力端３Ａに出力し、データ信号は出力端３Ｂに出力される。
【０００７】
４は既知であるロングトレーニングシンボル値を記憶する既知信号記憶回路、５は既知信号記憶回路４が記憶するロングトレーニングシンボル値と切替回路３の出力端３Ａに出力されるロングトレーニング信号を利用してＬＳ（Least Squares）法によってチャンネル推定を行うチャンネル推定回路である。
【０００８】
６はチャンネル推定回路５から出力されるチャンネル推定値について平滑化（雑音除去処理）を行う平滑化回路をなすローパスフィルタ、７はローパスフィルタ６から出力されるチャンネル推定値を保持するチャンネル推定値保持回路、８はチャンネル推定値保持回路７が保持するチャンネル推定値を入力して各サブキャリアのデータ成分ごとに振幅変動及び位相回転を補正して同期検波を行う同期検波回路である。
【０００９】
また、ＯＦＤＭ無線通信システムでは、送信信号には正味の信号のほかに、ガードインターバルが追加されており、ＦＦＴ回路２においては、同期ずれの問題から、通常、ガードインターバル期間内からＦＦＴ処理を開始する。これによりシンボル間干渉除去を行うことができる。
【特許文献１】特開２０００―３５８０１０号公報
【発明の開示】
【発明が解決しようとする課題】
【００１０】
ガードインターバル期間内からＦＦＴ処理を開始すると、サブキャリアの位相回転が発生し、チャンネル推定回路５から出力されるチャンネル推定値にも位相回転が発生してしまう。この位相回転が発生したチャンネル推定値をローパスフィルタ６でフィルタリングすると、チャンネル推定値に歪みが発生してしまい、精度の高いチャンネル推定値を得ることができないという問題がある。以下、この点について詳しく説明する。
【００１１】
ＦＦＴ回路２でのＦＦＴ後の２個のロングトレーニング信号のｋ番目のサブキャリアの成分をＲ1（ｋ）、Ｒ2（ｋ）、ｍ＝１、２とすると、Ｒ1（ｋ）、Ｒ2（ｋ）は数１に示すように表すことができる。
【００１２】
【数１】
2005223575.tif 000003
【００１３】
但し、Ｌ（ｋ）は送信したロングトレーニングシンボルのｋ番目のサブキャリア上のデータ、Ｈ（ｋ）はｋ番目のサブキャリアの周波数域のチャンネル推定値、Ｗm（ｋ）はｍ番目のロングトレーニングシンボルのｋ番目のサブキャリアのＡＷＧＮ（Additive White Gaussian Noise：加法的白色ガウス雑音）のＦＦＴ値である。
【００１４】
ここで、ＦＦＴ開始タイミングから有効シンボル期間の開始タイミングまでのサンプル数であるシンボルタイミング・オフセット（サンプル・オフセット）が無い場合には、ＬＳ法によるチャンネル推定値
【００１５】
【数２】
2005223575.tif 000004
【００１６】
は、数３に示すように表すことができる。
【００１７】
【数３】
2005223575.tif 000005
【００１８】
これに対して、シンボルタイミング・オフセットがある場合のチャンネル推定値
【００１９】
【数４】
2005223575.tif 000006
【００２０】
は、数５に示すように表すことができる。
【００２１】
【数５】
2005223575.tif 000007
【００２２】
但し、ｓはシンボルタイミング・オフセット数、２πｓ／Ｎ＝θはシンボルタイミング・オフセットによる位相回転である。
【００２３】
このように、シンボルタイミング・オフセットがある場合のチャンネル推定値にも位相回転があることから、これをそのままでローパスフィルタリングすると、最後に得られるチャンネル推定値は劣化することになる。
【００２４】
特に、Ｍ−ＱＡＭを情報信号として送った場合には、このチャンネル推定値では正しい情報を取得することが困難となる。すなわち、異なる外乱（ＦＦＴ処理に伴う位相回転）に対して、異なる必須の補正（雑音に対するローパスフィルタリング）を行うことにより、互いに性能を劣化させてしまうという関係になる。
【００２５】
本発明は、かかる点に鑑み、チャンネル推定値を平滑化することにより雑音成分を除去する場合において、ガードインターバル期間内からＦＦＴ処理を開始する場合であっても、精度の高いチャンネル推定値を得ることができるようにしたＯＦＤＭ復調装置を提供することを目的とする。
【課題を解決するための手段】
【００２６】
本発明は、複素ベースバンド信号を入力してＦＦＴ処理を行うＦＦＴ回路と、チャンネル推定を行うチャンネル推定部を有するＯＦＤＭ復調装置において、前記チャンネル推定部は、前記ＦＦＴ回路から出力される所定信号からチャンネル推定を行うチャンネル推定回路と、該チャンネル推定回路から出力されるチャンネル推定値の位相回転を削除ないし減少させる位相補正回路と、該位相補正回路から出力されるチャンネル推定値を平滑化する平滑化回路を有するというものである。
【発明の効果】
【００２７】
本発明によれば、チャンネル推定回路が出力するチャンネル推定値から位相回転を削除ないし減らしたチャンネル推定値について平滑化を行うことができるので、ガードインターバル期間内からＦＦＴ処理を開始する場合であっても、精度の高いチャンネル推定値を得ることができる。
【発明を実施するための最良の形態】
【００２８】
以下、図１〜図６を参照して、本発明の第１実施形態〜第６実施形態について、本発明を無線ＬＡＮ（IEEE802.11a）システムに使用するＯＦＤＭ復調装置に適用した場合を例にして説明する。
【００２９】
（第１実施形態・・図１）
図１は本発明の第１実施形態の要部を示す回路図である。本発明の第１実施形態は、図７に示すＯＦＤＭ復調装置に位相推定回路９、位相逆転回路１０及び位相復帰回路１１を追加したものである。なお、位相推定回路９と位相逆転回路１０で位相補正回路が構成されている。
【００３０】
位相推定回路９は、チャンネル推定回路５の後段に設けられたものであり、チャンネル推定回路５から出力されるチャンネル推定値を入力して、ＦＦＴ回路２においてガードインターバル期間内からＦＦＴを開始することにより定常的に生じるチャンネル推定回路５から出力されるチャンネル推定値の位相、即ち、各サブキャリアの位相回転量を推定するものである。
【００３１】
位相逆転回路１０は、チャンネル推定回路５とローパスフィルタ６との間に設けられたものであり、チャンネル推定回路５から出力されるチャンネル推定値を位相推定回路９で推定された位相分だけ、ガードインターバル期間内からＦＦＴを開始することにより定常的に生じる位相回転の方向（以下、定常位相回転方向という）と逆方向に回転させてチャンネル推定値の位相回転を削除するものである。
【００３２】
位相復帰回路１１は、ローパスフィルタ６とチャンネル推定値保持回路７との間に設けられたものであり、ローパスフィルタ６から出力されるチャンネル推定値を位相推定回路９で推定された位相分だけ定常位相回転方向に位相回転させてチャンネル推定値の位相回転をチャンネル推定回路５から出力された状態に戻すものである。
【００３３】
ここで、チャンネル推定回路５から出力されるチャンネル推定値
【００３４】
【数６】
2005223575.tif 000008
【００３５】
は、前述したように、数５に示すように表すことができる。位相推定回路９においては、数７に示す計算式により、チャンネル推定回路５から出力されるチャンネル推定値の位相、即ち、各サブキャリアの位相回転量が推定される。但し、ＮSTは使用するサブキャリアの数である。
【００３６】
【数７】
2005223575.tif 000009
【００３７】
位相逆転回路１０においては、位相推定回路９が推定した位相が入力され、数８に示す計算式により、チャンネル推定回路５から出力されるチャンネル推定値を位相推定回路９が推定した位相分だけ定常位相回転方向と逆方向に回転させて、ガードインターバル期間内からＦＦＴを開始することにより生じる位相が削除される。
【００３８】
【数８】
2005223575.tif 000010
【００３９】
ローパスフィルタ６においては、数９に示す計算式により、位相逆転回路１０から出力されるチャネル推定値が平滑化されて雑音の影響が低減される。数９中、ＦＩＲ（）は平滑化処理を示している。
【００４０】
【数９】
2005223575.tif 000011
【００４１】
位相復帰回路１１においては、数１０に示す計算式により、ローパスフィルタ６から出力されるチャンネル推定値が位相推定回路９で推定された位相分だけ定常位相回転方向に位相回転されてチャンネル推定値の位相回転がチャンネル推定回路５から出力された状態に戻される。
【００４２】
【数１０】
2005223575.tif 000012
【００４３】
以上のように、本発明の第１実施形態によれば、チャンネル推定回路５が出力するチャンネル推定値から位相回転を削除したチャンネル推定値について平滑化処理を行うことができるので、ガードインターバル期間内からＦＦＴ処理を開始する場合であっても、精度の高いチャンネル推定値を得ることができる。
【００４４】
そして、ローパスフィルタ６から出力されるチャンネル推定値を位相推定回路９で推定された位相分だけ定常位相回転方向に位相回転させてチャンネル推定値の位相回転をチャンネル推定回路５から出力された状態に戻すことができ、これによって、同期検波を行うことができる。したがって、精度の高い同期検波を行うことができる。
【００４５】
（第２実施形態・・図２）
図２は本発明の第２実施形態の要部を示す回路図である。本発明の第２実施形態は、図７に示すＯＦＤＭ復調回路に位相推定回路９、位相逆転回路１０及びシンボルタイミング・オフセット推定回路１２を追加すると共に、図７に示すＯＦＤＭ復調装置が備えるＦＦＴ回路２の代わりに、シンボルタイミング・オフセット推定回路１２が推定したシンボルタイミング・オフセット値によりＦＦＴ開始タイミングを調整することができるＦＦＴ回路１３を設け、その他については、図７に示すＯＦＤＭ復調回路と同様に構成したものである。
【００４６】
位相推定回路９及び位相逆転回路１０は、本発明の第１実施形態が備えるものと同一のものである。シンボルタイミング・オフセット推定回路１２は、位相推定回路９が推定した位相からＦＦＴ回路１３におけるシンボルタイミング・オフセットの値を推定するものである。なお、シンボルタイミング・オフセット推定回路１２では、数１１に示す計算式により、シンボルタイミング・オフセットの推定が行われる。
【００４７】
【数１１】
2005223575.tif 000013
【００４８】
ＦＦＴ回路１３は、シンボルタイミング・オフセット推定回路１２が推定したシンボルタイミング・オフセット値を利用してＦＦＴ開始タイミングを調整し、データのサブキャリアのＦＦＴ値に位相回転が発生しないようにする。
【００４９】
本発明の第２実施形態によれば、本発明の第１実施形態と同様に、チャンネル推定回路５が出力するチャンネル推定値から位相回転を削除したチャンネル推定値について平滑化処理を行うことができるので、ガードインターバル期間内からＦＦＴ処理を開始する場合であっても、精度の高いチャンネル推定値を得ることができる。
【００５０】
そして、また、シンボルタイミング・オフセット推定回路１２が推定したシンボルタイミング・オフセット値を利用してＦＦＴ開始タイミングを調整し、データのサブキャリアのＦＦＴ値に位相回転が発生しないようにし、データ信号の位相とチャンネル推定値の位相が一致するようにしているので、精度の高い同期検波を行うことができる。
【００５１】
（第３実施形態・・図３）
図３は本発明の第３実施形態の要部を示す回路図である。本発明の第３実施形態は、図７に示すＯＦＤＭ復調装置に位相推定回路９、位相逆転回路１０及び位相逆転回路１４を追加したものである。
【００５２】
位相推定回路９及び位相逆転回路１０は、本発明の第１実施形態が備えるものと同一のものである。位相逆転回路１４は、切替回路３の出力端３Ｂと同期検波回路８との間に設けたものであり、切替回路３の出力端３Ｂに出力されるデータ信号を位相推定回路９で推定された位相分だけ定常位相回転方向と逆方向に回転させてデータ信号の位相回転を削除するものである。
【００５３】
本発明の第３実施形態によれば、本発明の第１実施形態と同様に、チャンネル推定回路５が出力するチャンネル推定値から位相回転を削除したチャンネル推定値について平滑化処理を行うことができるので、ガードインターバル期間内からＦＦＴ処理を開始する場合であっても、精度の高いチャンネル推定値を得ることができる。
【００５４】
そして、また、切替回路３の出力端３Ｂに出力されるデータ信号を位相推定回路９で推定された位相分だけ定常位相回転方向と逆方向に回転させてデータ信号の位相回転を削除し、データ信号の位相とチャンネル推定値の位相が一致するようにしているので、精度の高い同期検波を行うことができる。
【００５５】
（第４実施形態・・図４）
図４は本発明の第４実施形態の要部を示す回路図である。本発明の第４実施形態は、図１に示す本発明の第１実施形態にチャンネル推定値保持回路１５、選択回路１６及びＳＩＲ（signal to interference power ratio：信号対干渉雑音電力比）測定回路１７を追加したものである。
【００５６】
チャンネル推定値保持回路１５は、チャンネル推定回路５が出力するチャンネル推定値を保持するものである。選択回路１６は、チャンネル推定値保持回路７が保持するチャンネル推定値またはチャンネル推定値保持回路１５が保持するチャンネル推定値を選択して出力するものである。
【００５７】
ＳＩＲ測定回路１７は、切替回路３の出力端３Ａに出力されるトレーニング信号を入力してＳＩＲを測定して選択回路１６の動作を制御するものであり、ＳＩＲが所定値以下の場合には、チャンネル推定値保持回路７が保持するチャンネル推定値を選択して出力し、ＳＩＲが所定値を越える場合には、チャンネル推定値保持回路１５が保持するチャンネル推定値を選択して出力するように選択回路１６を制御する。
【００５８】
本発明の第４実施形態によれば、本発明の第１実施形態と同様に、チャンネル推定回路５が出力するチャンネル推定値から位相回転を削除したチャンネル推定値について平滑化処理を行うことができるので、ガードインターバル期間内からＦＦＴ処理を開始する場合であっても、精度の高いチャンネル推定値を得ることができる。
【００５９】
そして、ＳＩＲが所定値以下のときは、チャンネル推定値保持回路７が保持するチャンネル推定値を使用して同期検波を行うことができ、ＳＩＲが所定値を超えるときは、チャンネル推定値保持回路１５が保持するチャンネル推定値を使用して同期検波を行うことができる。したがって、本発明の第４実施形態によれば、無線環境の変化があっても良好な無線特性を得ることができる。
【００６０】
（第５実施形態・・図５）
図５は本発明の第５実施形態の要部を示す回路図である。本発明の第５実施形態は、図４に示す本発明の第４実施形態が備えるチャンネル推定機能をソフトウエアまたはリコンフィグ回路で達成するものであり、シンボルタイミング検出回路１、ＦＦＴ回路２、切替回路３、同期検波回路８、チャンネル推定部１８、ＳＩＲ測定回路１９及びアルゴリズム切替部２０を備えている。
【００６１】
シンボルタイミング検出回路１、ＦＦＴ回路２、切替回路３及び同期検波回路８は、本発明の第４実施形態が備えるものと同一である。チャンネル推定部１８は、ソフトウェアまたはリコンフィグ回路で構成されるものである。ＳＩＲ測定回路１９は、切替回路３の出力端３Ａに出力されるトレーニング信号を入力してＳＩＲを測定するものである。アルゴリズム切替部２０は、ＳＩＲ測定回路１９で測定されたＳＩＲの大小によりチャンネル推定部１８のアルゴリズムを切り替えるものである。
【００６２】
アルゴリズム切替部２０は、ＳＩＲ測定回路１９が測定したＳＩＲが所定値以下のときは、チャンネル推定部１８が破線１８Ａで囲む部分に記載した回路、即ち、既知信号記憶回路４、チャンネル推定回路５、位相推定回路９、位相逆転回路１０、ローパスフィルタ６、位相復帰回路１１及びチャンネル推定値保持回路７からなる回路となり、チャンネル推定値保持回路７が保持するチャンネル推定値に基づいて同期検波回路８が同期検波を行うことができるように、チャンネル推定部１８をなすソフトウエア又はリコンフィグ回路のコンフィギュレーションを書き換える。
【００６３】
これに対して、ＳＩＲ測定回路１９が測定したＳＩＲが所定値を超える時は、アルゴリズム切替部２０は、チャンネル推定部１８が破線１８Ｂで囲む部分に記載した回路、即ち、既知信号記憶回路４、チャンネル推定回路５及びチャンネル推定値保持回路１５からなる回路となり、チャンネル推定値保持回路１５が保持するチャンネル推定値に基づいて同期検波回路８が同期検波を行うことができるように、チャンネル推定部１８をなすソフトウエア又はリコンフィグ回路のコンフィギュレーションを書き換える。
【００６４】
本発明の第５実施形態によれば、本発明の第４実施形態と同様に、ＳＩＲが所定値以下のときは、チャンネル推定回路５が出力するチャンネル推定値から位相回転を削除したチャンネル推定値について平滑化処理を行うことができるので、ガードインターバル期間内からＦＦＴ処理を開始する場合であっても、精度の高いチャンネル推定値を得ることができる。
【００６５】
そして、ＳＩＲが所定値以下のときは、チャンネル推定値保持回路７が保持するチャンネル推定値を使用して同期検波を行うことができ、ＳＩＲが所定値を超える時は、チャンネル推定値保持回路１５が保持するチャンネル推定値を使用して同期検波を行うことができる。したがって、本発明の第５実施形態によれば、無線環境の変化があっても良好な無線特性を得ることができる。
【００６６】
（第６実施形態・・図６）
図６は本発明の第６実施形態の要部を示す回路図である。本発明の第６実施形態は、本発明の第１実施形態が備える位相推定回路９の代わりに、予め設定した位相を保持する設定位相保持回路２１を設け、その他については、本発明の第１実施形態と同様に構成したものである。本発明の第６実施形態の場合、設定位相保持回路２１と位相逆転回路１０で位相補正回路が構成される。
【００６７】
本発明の第６実施形態においては、位相逆転回路１０は、チャンネル推定回路５から出力されるチャンネル推定値を設定位相保持回路２１が保持する位相分だけ定常位相回転方向と逆方向に回転させてチャンネル推定回路５から出力されるチャンネル推定値の位相回転を削除ないし減少させることになる。
【００６８】
したがって、本発明の第６実施形態によれば、本発明の第１実施形態の場合よりも性能が劣る場合があるが、本発明の第１実施形態が備える位相推定回路９で行う演算量だけ演算量を減らすことができる。なお、位相復帰回路１１を設ける代わりに、切替回路３Ｂから出力されるデータ信号の位相を設定位相保持回路２１が保持する位相分だけ定常位相回転方向と逆方向に回転させる位相逆転回路を設けるようにしても良い。
【００６９】
ここで、本発明のＯＦＤＭ復調回路を整理すると、本発明のＯＦＤＭ復調装置には、以下のＯＦＤＭ復調装置が含まれる。
【００７０】
（付記１）複素ベースバンド信号を入力してＦＦＴ処理を行うＦＦＴ回路と、チャンネル推定を行うチャンネル推定部を有するＯＦＤＭ復調装置において、前記チャンネル推定部は、前記ＦＦＴ回路から出力される所定信号からチャンネル推定を行うチャンネル推定回路と、該チャンネル推定回路から出力されるチャンネル推定値の位相回転を削除ないし減少させる位相補正回路と、該位相補正回路から出力されるチャンネル推定値を平滑化する平滑化回路を有することを特徴とするＯＦＤＭ復調装置。
【００７１】
（付記２）前記位相補正回路は、前記チャンネル推定回路から出力されるチャンネル推定値の位相を推定する位相推定回路と、前記チャンネル推定回路から出力されるチャンネル推定値を前記位相推定回路が推定した位相分だけ逆方向に回転させる位相逆転回路を有することを特徴とする付記１記載のＯＦＤＭ復調装置。
【００７２】
（付記３）前記平滑化回路から出力されるチャンネル推定値の位相を前記チャンネル推定回路から出力された状態に復帰させる位相復帰回路と、該位相復帰回路から出力されるチャンネル推定値を保持するチャンネル推定値保持回路と、該チャンネル推定値保持回路が保持するチャンネル推定値に基づいて、前記ＦＦＴ回路から出力される同期検波対象信号の同期検波を行う同期検波回路を有することを特徴とする付記２記載のＯＦＤＭ復調装置。
【００７３】
（付記４）前記平滑化回路から出力されるチャンネル推定値を保持するチャンネル推定値保持回路と、前記チャンネル推定値保持回路が保持するチャンネル推定値に基づいて、前記ＦＦＴ回路から出力される同期検波対象信号の同期検波を行う同期検波回路と、前記位相推定回路が推定した位相からシンボルタイミング・オフセットを推定するシンボルタイミング・オフセット推定回路を有し、前記ＦＦＴ回路は、前記シンボルタイミング・オフセット推定回路から出力されるシンボルタイミング・オフセット推定値に基づいてシンボルタイミング・オフセットを調整し、前記ＦＦＴ回路から出力される同期検波対象信号に位相回転が無いようにすることを特徴とする付記２記載のＯＦＤＭ復調装置。
【００７４】
（付記５）前記平滑化回路から出力されるチャンネル推定値を保持するチャンネル推定値保持回路と、前記ＦＦＴ回路から出力される同期検波対象信号を前記位相推定回路が推定した位相分だけ逆方向に回転させる第２の位相逆転回路と、前記チャンネル推定値保持回路が保持するチャンネル推定値に基づいて、前記第２の位相逆転回路から出力される同期検波対象信号の同期検波を行う同期検波回路を有することを特徴とする付記２記載のＯＦＤＭ復調装置。
【００７５】
（付記６）前記平滑化回路から出力されるチャンネル推定値の位相を前記チャンネル推定回路から出力された状態に復帰させる位相復帰回路と、該位相復帰回路から出力されるチャンネル推定値を保持する第１のチャンネル推定値保持回路と、前記チャンネル推定回路から出力されるチャンネル推定値を保持する第２のチャンネル推定値保持回路と、前記ＦＦＴ回路から出力される前記所定信号からＳＩＲを測定するＳＩＲ測定回路と、前記ＳＩＲ測定回路が測定したＳＩＲが所定値以下のときは、前記第１のチャンネル推定値保持回路から出力されるチャンネル推定値に基づいて、前記ＦＦＴ回路から出力される同期検波対象信号の同期検波を行い、前記ＳＩＲ測定回路が測定したＳＩＲが前記所定値を超えるときは、前記第２のチャンネル推定回路から出力されるチャンネル推定値に基づいて、前記ＦＦＴ回路から出力される同期検波対象信号の同期検波を行う同期検波回路を有することを特徴とする付記２記載のＯＦＤＭ復調装置。
【００７６】
（付記７）前記位相補正回路は、予め設定した位相を保持する設定位相保持回路と、前記チャンネル推定回路から出力されるチャンネル推定値の位相を前記設定位相保持回路が保持する位相分だけ逆方向に回転する位相逆転回路を有することを特徴とする付記１記載のＯＦＤＭ復調装置。
【００７７】
（付記８）前記平滑化回路から出力されるチャンネル推定値の位相を前記チャンネル推定回路から出力された状態に復帰させる位相復帰回路と、該位相復帰回路から出力されるチャンネル推定値を保持するチャンネル推定値保持回路と、該チャンネル推定値保持回路が保持するチャンネル推定値に基づいて、前記ＦＦＴ回路から出力される同期検波対象信号の同期検波を行う同期検波回路を有することを特徴とする付記７記載のＯＦＤＭ復調装置。
【００７８】
（付記９）前記平滑化回路から出力されるチャンネル推定値を保持するチャンネル推定値保持回路と、前記ＦＦＴ回路から出力される同期検波対象信号を前記位相推定回路が推定した位相だけ逆方向に回転させる第２の位相逆転回路と、前記チャンネル推定値保持回路が保持するチャンネル推定値に基づいて、前記第２の位相逆転回路から出力される同期検波対象信号の同期検波を行う同期検波回路を有することを特徴とする付記７記載のＯＦＤＭ復調装置。
【００７９】
（付記１０）複素ベースバンド信号を入力してＦＦＴ処理を行うＦＦＴ回路と、チャンネル推定を行うチャンネル推定部を有するＯＦＤＭ復調装置において、前記チャンネル推定部は、ソフトウエアまたはリコンフィグ回路で構成されると共に、前記ＦＦＴ回路から出力される所定信号からＳＩＲを測定するＳＩＲ測定回路と、前記チャンネル推定部のアルゴリズムを切り替えるアルゴリズム切替部と、前記チャンネル推定部から出力されるチャンネル推定値に基づいて、前記ＦＦＴ回路から出力される同期検波対象信号の同期検波を行う同期検波回路を有し、前記アルゴリズム切替部は、前記ＳＩＲ測定回路が測定したＳＩＲが所定値以下のときは、前記チャンネル推定部が、前記ＦＦＴ回路から出力される前記所定信号からチャンネル推定値を推定し、該チャンネル推定値の位相回転を削除して平滑化し、該平滑化したチャンネル推定値の位相を元の状態に復帰させ、該位相を元に戻したチャンネル推定値を前記同期検波回路に転送できる回路構成となるように、前記ソフトウエア又は前記リコンフィグ回路のコンフィギュレーションを書き換え、前記ＳＩＲ測定回路が測定したＳＩＲが前記所定値を超えるときは、前記チャンネル推定部が、前記ＦＦＴ回路から出力される前記所定信号からチャンネル推定値を推定し、該チャンネル推定値を前記同期検波回路に転送できる回路構成となるように、前記ソフトウエア又は前記リコンフィグ回路のコンフィギュレーションを書き換えることを特徴とするＯＦＤＭ復調装置。
【図面の簡単な説明】
【００８０】
【図１】本発明の第１実施形態の要部を示す回路図である。
【図２】本発明の第２実施形態の要部を示す回路図である。
【図３】本発明の第３実施形態の要部を示す回路図である。
【図４】本発明の第４実施形態の要部を示す回路図である。
【図５】本発明の第５実施形態の要部を示す回路図である。
【図６】本発明の第６実施形態の要部を示す回路図である。
【図７】ＯＦＤＭ復調装置の参考例の要部を示す回路図である。
【符号の説明】
【００８１】
１…シンボルタイミング検出回路
２…ＦＦＴ回路
３…切替回路
４…既知信号記憶回路
５…チャンネル推定回路
６…ローパスフィルタ
７…チャンネル推定値保持回路
８…同期検波回路
９…位相推定回路
１０…位相逆転回路
１１…位相復帰回路
１２…シンボルタイミング・オフセット推定回路
１３…ＦＦＴ回路
１４…位相逆転回路
１５…チャンネル推定値保持回路
１６…選択回路
１７…ＳＩＲ測定回路
１８…チャンネル推定部
１９…ＳＩＲ測定回路
２０…アルゴリズム切替部
２１…設定位相保持回路
【図１】
2005223575.tif 000014
【図２】
2005223575.tif 000015
【図３】
2005223575.tif 000016
【図４】
2005223575.tif 000017
【図５】
2005223575.tif 000018
【図６】
2005223575.tif 000019
【図７】
2005223575.tif 000020